(57)【要約】【課題】側面エアバックの膨張時に足先等の被施療部がしっかりと挟まれて装着感を高めることのできるマッサージユニット及びこれを具えたマッサージ機を提供する。【解決手段】被施療者の足先を収容する凹状受部（４２）を有し、この凹状受部（４２）の外側の内側面（４３）に足先を側面からマッサージする足先用側面エアバック（４６）を弾性部材（４８ａ）を介して取り付け、凹状受部（４２）の中央よりの内側面（４４）には弾性部材（４８）のみを取り付ける。弾性部材（４８）（４８ａ）は、スポンジ、ウレタン等の弾力性を有する部材からなる。【効果】側面エアバック（４６）は、膨張したときに足先から反力を受けて弾性部材（４８ａ）側へ押しやられ、その結果、足先の形状に沿って変形し、足先にぴったりと密着して装着感を高める。【選択図】      図３
2004237025.tif 000002
【特許請求の範囲】
【請求項１】
被施療者の被施療部を収容する凹状受部を有し、該凹状受部の内側面の少なくとも一方の側面に側面エアバックを具え、該側面エアバックの膨張と収縮により、被施療部をマッサージするマッサージユニットにおいて、前記側面エアバックと前記内側面の少なくとも前記一方の側面との間に、弾性部材を介在させてなるマッサージユニット。
【請求項２】
被施療者の被施療部を収容する凹状受部を有し、該凹状受部の一方の内側面に弾性部材を介して側面エアバックを具え、前記凹状受部の他方の側面には、弾性部材のみを装着し、前記側面エアバックの膨張と収縮により被施療部をマッサージするようにしたマッサージユニット。
【請求項３】
前記凹状受部の底面には、指圧子駆動手段により出没して被施療部にマッサージを施す指圧子を具えてなる請求項１又は請求項２に記載のマッサージユニット。
【請求項４】
前記指圧子駆動手段は、膨張と収縮を繰り返す底面エアバックより構成してなる請求項３に記載のマッサージユニット。
【請求項５】
椅子の座部の前方に請求項１乃至請求項４のいずれかに記載のマッサージユニットを配備してなるマッサージ機。
【請求項６】
椅子の座部の前方の被施療者のふくらはぎに対応する位置に請求項１乃至請求項４のいずれかに記載のマッサージユニットを配備してなるマッサージ機。
【請求項７】
椅子の座部の前方の被施療者の足先に対応する位置に請求項１乃至請求項４のいずれかに記載のマッサージユニットを配備してなるマッサージ機。
【発明の詳細な説明】
【０００１】
【発明の属する技術分野】
本発明は、被施療者の例えば足等の被施療部を収容する凹状受部を有し、この凹状受部の内側面の少なくとも一方の側面に具えた膨張と収縮を繰り返すエアバックにより、被施療部をマッサージするマッサージユニットに関する。
【０００２】
【従来の技術】
被施療者のふくらはぎや足先（踝よりも下の部分）を収容する凹状受部を有して、この凹状受部の内側面の少なくとも一方の側面に具えた膨張と収縮を繰り返す側面エアバックにより、ふくらはぎや足先マッサージするマッサージユニットは、例えば特許文献１で知られている。
【０００３】
【特許文献】
特開平１１−１２８２８９号公報（全文）
【０００４】
【発明が解決しようとする課題】
側面エアバックは、凹状受部の内側面に完全に接着等して取り付けると、膨張、収縮の際に側面エアバックの接着部分に応力が生じてしまうことがあり、耐久性に問題が生じるので、一般に完全に接着せずにある程度自由に動けるようにしている。
【０００５】
しかしながら、このようにある程度自由に動けるようにすると、側面エアバックが膨張した際に、ふくらはぎや足先の凹状受部への挿入状態によっては、ふくらはぎや足先が凹状受部から飛び出ようとすることがあり、側面エアバックの膨張時に側面エアバックによってしっかりと挟まれているという装着感に乏しくなるという問題があった。
【０００６】
本発明の目的は、側面エアバックの膨張時にふくらはぎや足先等の被施療部がしっかりと挟まれて装着感を高めることのできるマッサージユニット及びこれを具えたマッサージ機を提供することである。
【０００７】
【課題を解決するための手段】
上記課題を解決するために、本発明のマッサージユニットは、被施療者の被施療部を収容する凹状受部を有し、該凹状受部の内側面の少なくとも一方の側面に側面エアバックを具え、該側面エアバックの膨張と収縮により、被施療部をマッサージするマッサージユニットにおいて、前記側面エアバックと前記内側面の少なくとも前記一方の側面との間に、弾性部材を介在させたものである。
【０００８】
かかる構成により、側面エアバックを膨張させ、被施療部を側面から押すと、側面エアバックは被施療部から反力を受けて一方の側面側へ押しやられようとする。一方の側面との間には弾性部材が介在されているので、側面エアバックは被施療部の形状に沿っ変形し、被施療部にぴったりと密着するようになり、装着感を高めることができる。
【０００９】
また本発明のマッサージユニットは、被施療者の被施療部を収容する凹状受部を有し、該凹状受部の一方の内側面に弾性部材を介して側面エアバックを具え、前記凹状受部の他方の側面には、弾性部材のみを装着し、前記側面エアバックの膨張と収縮により被施療部をマッサージするようにしたものである。
【００１０】
かかる構成により、側面エアバックを膨張させ、被施療部を側面から押すと、側面エアバックは被施療部から反力を受けて一方の内側面側へ押しやられようとする。一方の内側面との間には弾性部材が介在されているので、側面エアバックは被施療部の形状に沿っ変形し、被施療部にぴったりと密着するようになる。また側面エアバックにより押された被施療部は、反対側の弾性部材へと押され、この弾性部材と側面エアバックの間でしっかりと挟持され、装着感を高めることができる。
【００１１】
また本発明のマッサージ機は、上記のマッサージユニットを、椅子の座部の前方の被施療者のふくらはぎに対応する位置や足先に対応する位置に配備し、ふくらはぎや足先を椅子に座った状態でマッサージできるようにしたものである。
【００１２】
【発明の実施の形態】
以下、本発明の実施形態について説明する。図１及び図２は、本発明のマッサージユニットを配備した椅子型マッサージ機（１０）の一実施例を示す斜視図である。椅子型マッサージ機（１０）は、被施療者が腰掛ける座部（１１）の後部に背凭れ（１２）、前部に被施療者のふくらはぎをマッサージするふくらはぎ用マッサージユニット（３０）、ふくらはぎ用マッサージユニット（３０）の下端に被施療者の足先をマッサージする足先用マッサージユニット（４０）を具えて構成される。背凭れ（１２）、ふくらはぎ用マッサージユニット（３０）は、座部（１１）に傾動可能且つ位置決め可能に接続される。また、足先用マッサージユニット（４０）は、ふくらはぎ用マッサージユニット（３０）に傾動可能且つ位置決め可能に接続される。
【００１３】
なお、図１及び図２では、椅子型マッサージ機（１０）の外周を覆うカバーやクッションを取り外して示している。
【００１４】
背凭れ（１２）には、被施療者の肩、背中、腰をマッサージする公知のマッサージユニット（１５）が背凭れ（１２）に沿って昇降可能に配備される。マッサージユニット（１５）は、左右に一対の施療指（１６）（１６）を具え、両施療指（１６）（１６）を上下、左右及び／又は前後に移動させることによって、被施療者の肩等に揉みや叩きなどのマッサージを施す。
【００１５】
ふくらはぎ用マッサージユニット（３０）は、図１及び図２に示すように、座部（１１）の前部に傾動可能且つ位置決め可能に配備される。ふくらはぎ用マッサージユニット（３０）は、被施療者の左右のふくらはぎを夫々挿入する断面コ字状のふくらはぎ用の凹状受部（３２）（３２）を有している。凹状受部（３２）には、図３及び図４に示すように、外側の内側面（３３）にふくらはぎを側面からマッサージするふくらはぎ用側面エアバック（３６）、中央よりの内側面（３４）に弾性部材（３８）、さらに、底面（３５）にふくらはぎを後ろ側からマッサージするふくらはぎ用底面エアバック（３７）（３７）（３７）が配備されている。エアバック（３６）（３７）は夫々バルブを介してエアポンプ（図示せず）に接続され、エアポンプからの圧縮空気の供給を受けて膨張する。弾性部材（３８）は、スポンジ、ウレタン等の弾力性を有する部材から作成することができる。
【００１６】
図３や図４で、（１００）は、ふくらはぎ用マッサージユニット（３０）や足先用マッサージユニット（４０）を覆う布製カバーの破断したところを示す。また、（１０１）は、ふくらはぎ用マッサージユニット（３０）を座部（１１）に連結するための金属製脚支持用フレームを示す。（１０２）は、足先用マッサージユニット（４０）をふくらはぎ用マッサージユニット（３０）に連結するための金属フレームであり、前記フレーム（１０１）の先端に連結されている。
【００１７】
ふくらはぎ用側面エアバック（３６）は、図４乃至図９に示すように、被施療者のふくらはぎを凹状受部（３２）に挿入したときに、ふくらはぎ（脛側）の傾斜に合わせて傾けて形成された環状の蛇腹部（３９）を有している。蛇腹部（３９）は、ふくらはぎ用エアバック（３６）の片面に形成してもよいが、押圧効果を高めるには、図７及び図８に示すように、ふくらはぎ用エアバック（３６）の両面に形成することが望ましい。
【００１８】
また、蛇腹部（３９）は、凹状受部（３２）の底面側から開放側に向けてひだ山が高くなるように形成し、凹状受部（３２）の開放側で大きく膨張させて、被施療者のふくらはぎ（９０）を斜め前方から押圧するようにすることが望ましい（図６乃至図９参照）。
【００１９】
上記蛇腹部（３９）は、例えば、ブロー成形により製作することができる。  蛇腹部（３９）の中心には、突起（３９ａ）を接着又は溶着等により取り付けて（図９参照）、指圧を施すことができるようにしてもよい。
【００２０】
なお、ふくらはぎ用マッサージユニット（３０）の構成は、上記に限定されるものではない。例えば、図３及び図４では、中央よりの内側面（３４）に弾性部材（３８）を配備しているが、弾性部材（３８）に代えてエアバックを配備してもよい。また、外側の内側面（３３）に弾性部材（３８）を配備してもよい。
【００２１】
上記構成のふくらはぎ用マッサージユニット（３０）において、被施療者が凹状受部（３２）にふくらはぎを挿入した状態で、ふくらはぎ用側面エアバック（３６）にエアポンプから圧縮空気の供給と排気を繰り返すことにより、ふくらはぎはふくらはぎ用側面エアバック（３６）と弾性部材（３８）に挟まれて、ふくらはぎに対し、側面からマッサージが施される。
【００２２】
このとき、図９に示すように、ふくらはぎ用マッサージユニット（３０）は、蛇腹部（３９）の中央から大きく膨らみ、全体的にふくらはぎ（９０）側に向けて傾斜しつつ、ふくらはぎ（９０）を前方から均等に押圧する。
【００２３】
ふくらはぎ用底面エアバック（３７）（３７）（３７）にエアポンプから圧縮空気の供給と排気を繰り返すことにより、ふくらはぎは後ろ側からマッサージされる。なお、ふくらはぎ用底面エアバック（３７）（３７）（３７）が膨張したときに、被施療者の脚部がふくらはぎ用底面エアバック（３７）（３７）（３７）によって前方に押し出されてしまうことがある。この場合、ふくらはぎ用側面エアバック（３６）を予め膨張させ、ふくらはぎ用側面エアバック（３６）と弾性部材（３８）によりふくらはぎが前方に移動しないように保持した状態で、ふくらはぎ用底面エアバック（３７）（３７）（３７）を膨張させると、ふくらはぎは前方に移動せず、効果の高いマッサージを受けることができる。
【００２４】
この場合でも、ふくらはぎ用側面エアバック（３６）は蛇腹部（３９）を具えているから、被施療者のふくらはぎが前方から均等に押圧され、ふくらはぎの保持効果は高められる。
次に本発明の構造を採用した足先用マッサージユニット（４０）について説明する。足先用マッサージユニット（４０）は、図１及び図２に示すように、上記ふくらはぎ用マッサージユニット（３０）の先端に傾動可能且つ位置決め可能に配備され、被施療者の左右の足先（くるぶしよりも下の部分）を夫々挿入する断面コ字状の足先用の凹状受部（４２）（４２）を有している。
凹状受部（４２）には、図３及び図４に示すように、その外側の内側面（４３）に足先を側面からマッサージする足先用側面エアバック（４６）が弾性部材（４８ａ）を介して取り付けられている。凹状受部（４２）の中央よりの内側面（４４）には弾性部材（４８）のみが取り付けられている。さらに凹状受部（４２）の底面（４５）には、足裏をマッサージする足裏用エアバック（４７）が取り付けられている。エアバック（４６）（４７）は夫々バルブを介してエアポンプ（図示せず）に接続され、エアポンプからの圧縮空気の供給を受けて膨張する。
【００２５】
足先用側面エアバック（４６）も、図５乃至図９に示すように、被施療者の足先を凹状受部（４２）に挿入したときに、足先（足の甲部分）の傾斜に合わせて傾けて形成された環状の蛇腹部（４９）を有している。蛇腹部（４９）は、足先用エアバック（４６）の片面に形成してもよいが、効果を高めるには両面に形成することが望ましい。
【００２６】
また、蛇腹部（４９）は、凹状受部（４２）の底面側から開放側に向けてひだ山が高くなるように形成し、凹状受部（４２）の開放側で大きく膨張させて、被施療者の足先（足の甲部分）（９２）を斜め前方から押圧するようにすることが望ましい（図６乃至図９参照）。
【００２７】
上記蛇腹部（４９）は、例えば、ブロー成形により製作することができる。蛇腹部（４９）の中央には、突起（４９ａ）を接着又は溶着等により取り付けて（図９参照）、指圧を施すことができるようにしてもよい。
【００２８】
足裏用底面エアバック（４７）の表面には、図３に示すように、指圧子となる突起（４７ａ）（４７ａ）が溶着されている。
前記弾性部材（４８）（４８ａ）は、スポンジ、ウレタン等の弾力性を有する部材から作成することができる。弾性部材（４８ａ）は、足先用側面エアバック（４６）が膨張したときに、足先を弾性部材（４８）側へ押すが、側面エアバック（４６）は足先から反力を受けて弾性部材（４８ａ）側へ押しやら、その結果、側面エアバック（４６）を足先の形状に沿って変形させて、足先にぴったりと密着させるためのものであり、装着感が高められる。
また、この弾性部材（４８ａ）は、足先のサイズの差を吸収して、足の大きな人でも小さな人でも、エアバック（４６）による締付力のばらつきを極力抑えるためのものである。
【００２９】
なお、足先用マッサージユニット（４０）の構成は、上記に限定されるものではない。例えば、図３及び図４では、中央よりの内側面（４４）に弾性部材（４８）を配備しているが、弾性部材（４８）に代えてエアバックを配備してもよい。
【００３０】
上記構成の足先用マッサージユニット（４０）において、被施療者が凹状受部（４２）に足先を挿入した状態で、足先用側面エアバック（４６）にエアポンプから圧縮空気の供給と排気を繰り返すことにより、足先は足先用側面エアバック（４６）と弾性部材（４８）に挟まれて、側面からマッサージが施される。
このとき、図９に示すように、足先用マッサージユニット（４０）は、蛇腹部（４９）の中央から大きく膨らみ、全体的に足先（９２）側に向けて傾斜しつつ、足先（９２）を前方から均等に押圧する。
また上述の如く、足先（９２）は、弾性部材（４８ａ）の働きにより、側面エアバック（４６）にぴったりと密着して、装着感が高められるので、足先全体にほどよいマッサージを施すことができる。
【００３１】
足裏先用底面エアバック（４７）にエアポンプから圧縮空気の供給と排気を繰り返すことにより、足裏に指圧用突起（４７ａ）によりマッサージが施される。なお、足裏用底面エアバック（４７）が膨張したときに、被施療者の足先が足裏用底面エアバック（４７）によって上方に押し出されてしまうことがある。この場合、足先用側面エアバック（４６）を予め膨張させ、足先用側面エアバック（４６）と弾性部材（４８）により足先が上方に移動しないように保持した状態で、足裏用底面エアバック（４７）を膨張させると、足先は上方に移動せず、効果の高いマッサージを受けることができる。
【００３２】
この場合でも、足先用側面エアバック（４６）は蛇腹部（４９）を具えているから、被施療者の足先が上方から均等に押圧され（図９参照）、また弾性部材（４８ａ）の働きにより側面エアバック（４６）にぴったりと密着して、装着感が高められるので足先の保持効果は高められる。
上記実施例の説明は、足先用マッサージユニット（４０）に弾性部材（４８ａ）を設けて、装着感を高めるようにしたが、必要に応じて、ふくらはぎ用マッサージユニット（３０）の側面エアバック（３６）と側面（３３）との間に設けてもよい。
【００３３】
【発明の効果】
本発明によれば、被施療部を収容する凹状受部の内側面の少なくとも一方の側面に弾性部材を介して側面エアバックを設けたので、側面エアバックを膨張させたとき、被施療部がしっかりと挟まれて装着感を高め、被施療部全体にほどよいマッサージを施すことができると共に、被施療部のサイズの差を吸収して、側面エアバックによる締付力のばらつきを極力抑えることができるものである。
【図面の簡単な説明】
【図１】本発明の椅子型マッサージ機の斜視図である。
【図２】椅子型マッサージ機のふくらはぎ用マッサージユニット及び足先用マッサージユニットを上方に傾動させた状態を示す斜視図である。
【図３】ふくらはぎ用マッサージユニット及び足先用マッサージユニットの正面図である。
【図４】ふくらはぎ用マッサージユニット及び足先用マッサージユニットの断面図である。
【図５】側面用エアバックの平面図である。
【図６】側面用エアバックの断面図である。
【図７】側面用エアバックの側面図である。
【図８】側面用エアバックの膨張した状態を示す側面図である。
【図９】側面用エアバックによって、被施療者のふくらはぎ又は足先を押圧した状態を示す説明図である。
【符号の説明】
（１０）マッサージ機
（４２）凹状受部
（４６）側面エアバック
（４８ａ）    弾性部材
（４８）  弾性部材
（４７）底面エアバック（指圧子駆動手段）
（４７ａ）    指圧用突起（指圧子）
（１１）座部
（４０）足先用マッサージユニット
（３０）  ふくらはぎ用マッサージユニット
【図１】
2004237025.tif 000003
【図２】
2004237025.tif 000004
【図３】
2004237025.tif 000005
【図４】
2004237025.tif 000006
【図５】
2004237025.tif 000007
【図６】
2004237025.tif 000008
【図７】
2004237025.tif 000009
【図８】
2004237025.tif 000010
【図９】
2004237025.tif 000011